(57)【要約】【課題】  高画質なフォトムービーのフレームのプリントを得ることができるプリント方法およびプリントシステムを提供する。【解決手段】  プリントシステム２は、プリントすべきフレームのタイムスタンプを取得するための注文受付装置１０と、取得したタイムスタンプに対応したシナリオを特定し、特定したシナリオに則って画像を再編集することで、プリントすべきフレームを再生成するフレーム再生成装置１１と、この再生成したフレームをプリントするプリント装置１２とを備える。注文受付装置１０では、モニタ１４にフォトムービーを再生表示し、操作部１５でプリントすべきフレームを指定させる。【選択図】        図１
2005303905.tif 000002
【特許請求の範囲】
【請求項１】
画像の表示形態を規定するシナリオに則って前記画像を編集することにより生成されるフォトムービーのフレームをプリントする方法であって、
プリントすべきフレームのタイムスタンプを取得して、このタイムスタンプに対応したシナリオを特定し、特定したシナリオに則って前記画像を再編集することで、プリントすべきフレームを再生成し、この再生成したフレームをプリントすることを特徴とするプリント方法。
【請求項２】
前記画像、前記シナリオ、および前記フォトムービーは、同一の記録媒体に記録されていることを特徴とする請求項１に記載のプリント方法。
【請求項３】
前記フォトムービーを再生表示して、プリントすべきフレームを選択させることにより、前記タイムスタンプを取得することを特徴とする請求項１または２に記載のプリント方法。
【請求項４】
画像の表示形態を規定するシナリオに則って前記画像を編集することにより生成されるフォトムービーのフレームをプリントするシステムであって、
プリントすべきフレームのタイムスタンプを取得するためのタイムスタンプ取得装置と、取得したタイムスタンプに対応したシナリオを特定し、特定したシナリオに則って前記画像を再編集することで、プリントすべきフレームを再生成するフレーム再生成装置と、この再生成したフレームをプリントするプリント装置とを備えたことを特徴とするプリントシステム。
【請求項５】
前記画像、前記シナリオ、および前記フォトムービーは、同一の記録媒体に記録されていることを特徴とする請求項４に記載のプリントシステム。
【請求項６】
前記タイムスタンプ取得装置は、前記フォトムービーを再生表示する表示手段と、プリントすべきフレームを選択させる操作手段とを備えたことを特徴とする請求項４または５に記載のプリントシステム。
【発明の詳細な説明】
【技術分野】
【０００１】
本発明は、画像の表示形態を規定するシナリオに則って画像を編集することにより生成されるフォトムービー（商標）のフレームをプリントする方法およびシステムに関する。
【背景技術】
【０００２】
従来、画像の表示形態を規定するシナリオに則って画像を編集することにより生成されるフォトムービーの１フレームを構成する複数の画像をプリントするプリント注文装置が提案されている（特許文献１参照）。この装置では、複数の画像と、フォトムービーの再生表示中の各フレームの再生位置との関係を示す情報から、フォトムービーのフレームと、その元となる画像との対応をとることができるようにしている。
【０００３】
【特許文献１】特開２００４−６４２８５号公報
【発明の開示】
【発明が解決しようとする課題】
【０００４】
しかしながら、特許文献１に記載のプリント注文装置では、フォトムービーのフレームを構成する画像をプリントすることはできるが、様々な特殊効果が付与されたフレームそのものをプリントすることができない。この問題を解決する方法としては、フォトムービーのフレーム自体をプリントすることが考えられるが、フォトムービーは通常ＶＧＡ（Video Graphics Array）サイズで生成されるため、製品として価値のある高画質なプリントを期待することができない。
【０００５】
本発明は、上記課題を鑑みてなされたものであり、高画質なフォトムービーのフレームのプリントを得ることができるプリント方法およびプリントシステムを提供することを目的とする。
【課題を解決するための手段】
【０００６】
上記目的を達成するために、請求項１に記載の発明は、画像の表示形態を規定するシナリオに則って前記画像を編集することにより生成されるフォトムービーのフレームをプリントする方法であって、プリントすべきフレームのタイムスタンプを取得して、このタイムスタンプに対応したシナリオを特定し、特定したシナリオに則って前記画像を再編集することで、プリントすべきフレームを再生成し、この再生成したフレームをプリントすることを特徴とする。
【０００７】
なお、前記画像、前記シナリオ、および前記フォトムービーは、同一の記録媒体に記録されている。また、前記フォトムービーを再生表示して、プリントすべきフレームを選択させることにより、前記タイムスタンプを取得する。
【０００８】
請求項４に記載の発明は、画像の表示形態を規定するシナリオに則って前記画像を編集することにより生成されるフォトムービーのフレームをプリントするシステムであって、プリントすべきフレームのタイムスタンプを取得するためのタイムスタンプ取得装置と、取得したタイムスタンプに対応したシナリオを特定し、特定したシナリオに則って前記画像を再編集することで、プリントすべきフレームを再生成するフレーム再生成装置と、この再生成したフレームをプリントするプリント装置とを備えたことを特徴とする。
【０００９】
なお、前記画像、前記シナリオ、および前記フォトムービーは、同一の記録媒体に記録されている。また、前記タイムスタンプ取得装置は、前記フォトムービーを再生表示する表示手段と、プリントすべきフレームを選択させる操作手段とを備える。
【発明の効果】
【００１０】
本発明のプリント方法およびプリントシステムによれば、プリントすべきフレームのタイムスタンプをタイムスタンプ取得装置で取得して、このタイムスタンプに対応したシナリオを特定し、特定したシナリオに則って画像を再編集することで、フレーム再生成装置でプリントすべきフレームを再生成し、この再生成したフレームをプリント装置でプリントするので、高画質なフォトムービーのフレームのプリントを得ることができる。
【発明を実施するための最良の形態】
【００１１】
図１において、本発明を適用したプリントシステム２は、タイムスタンプ取得装置としての注文受付装置１０、フレーム再生成装置１１、およびプリント装置１２から構成される。このプリントシステム２は、画像の表示形態を規定するシナリオに則って画像を編集することにより生成されるフォトムービーのフレームをプリントするものである。
【００１２】
図２に示すように、シナリオは、フォトムービーのフレームを構成する画像のファイル名と、階調補正値（輝度、コントラスト、γ補正値）、マスクの有無、変形パラメータ（拡大・縮小倍率、回転）、および移動パラメータ（ＸＹ座標）などの各種パラメータとが、フォトムービーの各フレーム毎に指定された形式となっている。なお、フォトムービーのフレームレートは、例えば１／６０秒に設定されている。
【００１３】
図１において、注文受付装置１０は、街頭のＤＰＥ店やコンビニエンスストアに設置され、複数の画像、テンプレート画像、シナリオ、およびフォトムービーが記録されたＤＶＤ（Digital Versatile Disk）などの記録媒体１３を介して、プリントの注文を受け付ける。なお、画像は、デジタルカメラやカメラ付き携帯電話などの撮像装置や、写真フイルム、印画紙に記録された画像を光電的に読み取ることにより取得されたデジタル画像を含み、テンプレート画像は、フォトムービーの背景画像やマスク画像を含む。
【００１４】
注文受付装置１０は、モニタ１４と操作部１５とを備えている。モニタ１４は、記録媒体１３から読み込んだフォトムービーや、注文メニュー画面などを再生表示する。操作部１５は、キーボードやマウス、タッチパネルなどからなり、プリントすべきフレームを指定する際や、顧客の個人情報、プリントサイズ（Ｌサイズ、２Ｌサイズなど）、プリント枚数、プリント引き渡し日時を含む注文情報を入力する際に操作される。
【００１５】
注文受付装置１０は、操作部１５が操作されたことを検知して、プリント指示がなされたフレームのタイムスタンプ（フォトムービー中のあるフレームの位置を示す情報）を取得し、この取得したタイムスタンプをフレーム再生成装置１１に送信する。なお、タイムスタンプは、フォトムービーの生成時に、各フレーム毎にフォトムービーの再生表示中の再生位置と関連付けて付与されている。
【００１６】
図３に示すように、フレーム再生成装置１１は、処理チャンネルＣｈ１〜Ｃｈｎ、シナリオ解析回路２０、合成処理回路２１、およびカラーマッチング回路２２から構成される。このフレーム再生成装置１１は、注文受付装置１０からのタイムスタンプと、記録媒体１３からの画像、テンプレート画像、およびシナリオとに基づいて、プリントすべきフレームを再生成する。
【００１７】
処理チャンネルＣｈ１〜Ｃｈｎ−１は、階調補正回路２３、変形処理回路２４、移動処理回路２５、スケーリング回路２６、およびマスク処理回路２７を備え、画像に対して各種処理を施す。処理チャンネルＣｈｎは、階調補正回路２３を備えていない以外は処理チャンネルＣｈ１〜Ｃｈｎ−１と同様の構成を有し、テンプレート画像に対して各種処理を施す。
【００１８】
階調補正回路２３は、シナリオに記述された階調補正値に基づいて、画像に対して階調補正を施す。具体例としては、カラー画像を白黒にしたり、セピア色にして古い写真のように見せる特殊効果を与える。
【００１９】
変形処理回路２４は、シナリオに記述された変形パラメータに基づいて、画像に対して変形処理を施す。具体例としては、画像の特定部分を拡大・縮小して、あたかもズーム操作を行っているような特殊効果を与える。
【００２０】
移動処理回路２５は、シナリオに記述された移動パラメータに基づいて、画像に対して移動処理を施す。具体例としては、画像を１つの画枠に見立てて、あたかもパン操作を行っているような特殊効果を与える。
【００２１】
スケーリング回路２６は、注文受付装置１０の操作部１５から入力されるプリントサイズに応じて、画像の画素サイズを変更する。マスク処理回路２７は、画像に対してマスク処理を施す。具体例としては、特定の模様や文字が描かれたテンプレート画像上に、画像の一部を切り出して貼り付けるなどの処理を行う。
【００２２】
シナリオ解析回路２０は、記録媒体１３から入力されたシナリオのうち、注文受付装置１０から送信されたタイムスタンプに対応したシナリオを特定し、特定したシナリオを解析して、そのシナリオに記述された各種パラメータを処理チャンネルＣｈ１〜Ｃｈｎ内の各回路２３〜２７に供給するとともに、記録媒体１３から入力された画像から、プリントすべきフレームを構成する画像（テンプレート画像を含む）を選別し、各処理チャンネルＣｈ１〜Ｃｈｎに割り当てる。
【００２３】
処理チャンネルＣｈ１〜Ｃｈｎの各回路２３〜２７は、シナリオ解析回路２０から供給された各種パラメータに基づいて、各種処理を実行する。一方、シナリオにパラメータの指定がない場合は、各回路２３〜２７は処理を実行せずに、後段の回路に画像を転送する。
【００２４】
合成処理回路２１は、各処理チャンネルＣｈ１〜Ｃｈｎで各種処理が施された画像およびテンプレート画像を合成する。カラーマッチング回路２２は、プリント装置１２の仕様に合わせて、合成処理回路２１で合成された画像に対して色変換を施す。これにより、プリントすべきフレームが再生成される。
【００２５】
プリント装置１２は、例えば、ＬＣＤに表示される画像を感光材料に投射露光する周知の画像焼き付け装置からなり、フレーム再生成装置１１で再生成されたフレームを注文情報に応じてプリントする。
【００２６】
次に、上記構成を有するプリントシステム２の作用について、図４のフローチャートを参照して説明する。まず、注文受付装置１０にて、記録媒体１３を介してフォトムービーのフレームのプリントが受け付けられる。注文受付装置１０では、記録媒体１３から読み込まれたフォトムービーが、モニタ１４に再生表示される。プリントシステム２の顧客は、このモニタ１４に再生表示されるフォトムービーを参照して、操作部１５を操作することにより、プリントすべきフレームの指定や、注文情報の入力を行う。
【００２７】
注文受付装置１０では、操作部１５の操作によりプリント指示がなされたフレームのタイムスタンプが取得される。注文受付装置１０で取得されたタイムスタンプは、フレーム再生成装置１１に送信される。
【００２８】
フレーム再生成装置１１では、注文受付装置１０からのタイムスタンプと、記録媒体１３からの画像、テンプレート画像、およびシナリオとに基づいて、プリントすべきフレームが再生成される。まず、シナリオ解析回路２０にて、記録媒体１３から入力されたシナリオのうち、注文受付装置１０から送信されたタイムスタンプに対応したシナリオが特定され、このシナリオが解析される。
【００２９】
次いで、特定されたシナリオに記述された各種パラメータが、シナリオ解析回路２０から処理チャンネルＣｈ１〜Ｃｈｎ内の各回路２３〜２７に供給される。また、記録媒体１３から入力された画像から、プリントすべきフレームを構成する画像が選別され、各処理チャンネルＣｈ１〜Ｃｈｎに割り当てられる。
【００３０】
処理チャンネルＣｈ１〜Ｃｈｎの各回路２３〜２７では、シナリオ解析回路２０から供給された各種パラメータに基づいて、各種処理が実行される。一方、シナリオにパラメータの指定がない場合は、各回路２３〜２７では処理は実行されずに、後段の回路に画像が転送される。
【００３１】
処理チャンネルＣｈ１〜Ｃｈｎで各種処理が施された画像およびテンプレート画像は、合成処理回路２１で合成され、カラーマッチング回路２２でプリント装置１２の仕様に合わせて色変換が施される。これにより、プリントすべきフレームが再生成される。再生成されたフレームは、プリント装置１２に送信され、プリント装置１２で注文情報に応じてプリントされる。
【００３２】
上記のように、低解像度のフォトムービーのフレーム自体ではなく、フォトムービーのフレームの元となる高解像度の画像からフレームを再生成し、この再生成したフレームをプリントするようにしたので、製品として価値のある高画質なプリントを得ることができる。
【００３３】
ここで、スケーリング回路２６で画像の画素サイズを変更する際に、画像の拡大倍率によっては、プリントのプリントサイズに応じた解像度を得られない場合がある。この場合は、プリント前に注文受付装置１０のモニタ１４に警告メッセージを表示する。あるいは、画質を優先させるか、プリントサイズを優先させるかを、操作部１５で顧客に選択させてもよい。画質を優先させる選択がなされた場合は、プリントの解像度に合わせて拡大倍率を変更する。一方、プリントサイズを優先させる選択がなされた場合は、倍率は変更せずに、画像に対して画素補完などのスムージング処理を施す。
【００３４】
なお、フォトムービーの全てのフレームについて、元となる画像と同等の解像度を持たせるように編集し、このデータを記録媒体１３に記録しておいてもよい。このようにすれば、フレームを再生成する必要がなくなり、プリント処理を高速化させることができる。      
【００３５】
また、上記と同様の目的で、記録媒体１３に記録するデータの容量を少なくするために、フォトムービーの全てのフレームではなく、例えば１秒毎など、所定時間間隔でサンプリングしたフレームについて、データを編集・記録してもよい。さらに、所定時間間隔ではなく、フォトムービーの編集状態をシナリオから取得し、特定の人物を拡大表示した場合など、特殊効果を与えたフレームをサンプリングするフレームとして選定してもよい。      
【００３６】
上記実施形態では、街頭のＤＰＥ店やコンビニエンスストアに注文受付装置１０を設置した態様を例示して説明したが、インターネットなどの通信ネットワークを介して、顧客の所有するパーソナルコンピュータから注文を受け付ける態様についても、本発明は適用することが可能である。
【図面の簡単な説明】
【００３７】
【図１】本発明を適用したプリントシステムの構成を示す概略図である。
【図２】シナリオの形式を示す説明図である。
【図３】フレーム再生成装置の内部構成を示す図である。
【図４】プリントシステムの処理手順を示すフローチャートである。
【符号の説明】
【００３８】
２  プリントシステム
１０  注文受付装置
１１  フレーム再生成装置
１２  プリント装置
１３  記録媒体
１４  モニタ
１５  操作部
２０  シナリオ解析回路
２１  合成処理回路
２２  カラーマッチング回路
Ｃｈ１〜Ｃｈｎ  処理チャンネル
【図１】
2005303905.tif 000003
【図２】
2005303905.tif 000004
【図３】
2005303905.tif 000005
【図４】
2005303905.tif 000006